(57)【要約】      （修正有）【課題】窓を閉じる際に防虫ネットがビニールハウスの室内側に侵入するのを防止できると共に、窓の開閉を繰り返しても疲労せず、破損しにくいネット侵入防止具を提供する。【解決手段】ビニールハウスに取り付けられる取付枠２に一端が揺動可能に取り付けられる窓３の窓枠１０の開口側框３ｂと開口側框３ｂに対向する取付枠２の開口側桟２ａとの間に架け渡される防虫ネット４の上記ビニールハウス内への侵入を防止するネット侵入防止具６において、上端が窓枠１０の開口側框３ｂの防虫ネット４よりも上記ビニールハウス内側に取り付けられて、常に取付枠２の開口側桟２ａに対向する侵入防止部７を備え、侵入防止部７は、窓３が閉じられると上記ビニールハウス内に収容されることを特徴とする。【選択図】図２
0003199145.tif 000002
【実用新案登録請求の範囲】
【請求項１】
ビニールハウスに取り付けられる取付枠に一端が揺動可能に取り付けられる窓の窓枠の開口側框と上記開口側框に対向する上記取付枠の開口側桟との間に架け渡される防虫ネットの上記ビニールハウス内への侵入を防止するネット侵入防止具において、
上端が上記窓枠の開口側框の上記防虫ネットよりも上記ビニールハウス内側に取り付けられて、
常に上記取付枠の開口側桟に対向する侵入防止部を備え、
上記侵入防止部は、上記窓が閉じられると上記ビニールハウス内に収容されることを特徴とするネット侵入防止具。
【請求項２】
上記防止部は、上記防虫ネット側に湾曲していることを特徴とする請求項１に記載のネット侵入防止具。
【請求項３】
上記侵入防止部を上記開口側框に回転自在に装着し、
上記侵入防止部をガイドして上記開口側桟からの離間を防止するガイド部材を備えることを特徴とする請求項１または２に記載のネット侵入防止具
【請求項４】
上記ガイド部材が上記取付枠の開口側桟に取り付けられることを特徴とする請求項３に記載のネット侵入防止具。
【請求項５】
上記侵入防止部と上記ガイド部材が上記窓の開口側から見て上下方向に沿う直線上に配置されることを特徴とする請求項３または４に記載のネット侵入防止具。
【請求項６】
上記侵入防止部が線状部材であることを特徴とする請求項１から５のいずれか一項に記載のネット侵入防止具。
【考案の詳細な説明】
【技術分野】
【０００１】
この発明は、ビニールハウスに設置される窓の開口部に設けられる防虫ネットの室内側への侵入を防止するネット侵入防止具に関する。
【背景技術】
【０００２】
農作物の栽培などに利用されるビニールハウスにあっては、室内を作物に適した温度に管理する必要があり、換気を行うための窓が設置されている。
【０００３】
このような窓が設けられる場合、窓の開口部には室内への害虫の侵入を防止あるいは益虫が外に逃げ出すことを防止する防虫ネットが展張される。このように、窓の開口部に防虫ネットを設けると、窓を閉じる際に風などの要因で室内側に防虫ネットが入り込んだ状態で窓が閉じられてしまう場合がある。
【０００４】
その際、防虫ネットが雨水で濡れているとビニールハウスの室内に雨水が侵入してしまう問題がある。雨水がビニールハウス内に侵入するとビニールハウス内の作物が根腐れする等作物に悪影響を与える場合がある。
【０００５】
このような問題に対処するため、ビニールハウスの開口自在な天窓の開口部に取り付けられる防虫ネットが、天窓を閉じる際に天窓の開口部の内側に侵入しないように、防虫ネットを外側に押し出す防虫ネット張り出し装置が開発されている（例えば、特許文献１参照）。
【０００６】
この防虫ネット張り出し装置は、天窓先付近の窓先レールに装着される固定部と、コイルスプリング部を介して固定部に連結される押し出し部からなり、コイルスプリング部は、弾性により自由に変形できるようになっている。これによって、防虫ネット張出装置は、天窓の開閉によって変化する防虫ネットの弛みに対して、コイルスプリング部の方向自在な弾性変形により、押し出し部が内側から外方に防虫ネットを常に張り出すため、天窓を閉じる際に防虫ネットがビニールハウスの室内側に挟み込まれることを防止している。
【先行技術文献】
【特許文献】
【０００７】
【特許文献１】特開２０１１−２２３９７４
【考案の概要】
【考案が解決しようとする課題】
【０００８】
特許文献１の防虫ネット張り出し装置は、防虫ネットがビニールハウスの室内側に挟み込まれることを防止する効果を奏する点において問題はない。
【０００９】
しかしながら、特許文献１のコイルスプリング部は、天窓の開閉によって変化する防虫ネットの弛みに対して、方向自在に弾性変形するため、天窓を開け閉めする度にコイルスプリング部が疲労し、コイルスプリング部が破損する恐れがあった。また、特許文献１の防虫ネット張り出し装置は、防虫ネットを常に張り出しているため、防虫ネット側から押される力が押し出し部とコイルスプリング部を介して固定部に伝わり、長期間使用しているとコイルスプリング部の根元から折れてしまう恐れがあった。
【００１０】
そこで、窓を閉じる際に防虫ネットがビニールハウスの室内側への侵入を防止できると共に、窓の開閉を繰り返しても疲労せず、破損しにくいネット侵入防止具を提供する。
【課題を解決するための手段】
【００１１】
前記課題を解決するための手段は、ビニールハウスに取り付けられる取付枠に一端が揺動可能に取り付けられる窓の窓枠の開口側框と上記開口側框に対向する上記取付枠の開口側桟との間に架け渡される防虫ネットのビニールハウス内への侵入を防止するネット侵入防止具において、上端が上記窓枠の開口側框の上記防虫ネットよりも上記ビニールハウス内側に取り付けられて、常に上記取付枠の開口側桟に対向する侵入防止部を備え、上記侵入防止部は、上記窓が閉じられると上記ビニールハウス内に収容されることを特徴とする。
【００１２】
また、上記侵入防止部は、上記防虫ネット側に湾曲してもよい。この構成によると、侵入防止部を、スムーズにビニールハウス内に収容できる。
【００１３】
また、上記侵入防止部を上記開口側框に回転自在に装着し、上記侵入防止部をガイドして上記開口側桟からの離間を防止するガイド部材を備えるようにしてもよい。この構成によると、侵入防止部を回動することで、侵入防止部を、取付枠の開口側桟に対向する位置に調整できるため、窓の大きさにかかわらず使用できる。さらに、ガイド部材を備えているため、窓の開閉中に侵入防止部が回動してしまうことを防止し、侵入防止部が振れて取付枠の開口側桟から離間することを防止できる。
【００１４】
また、上記ガイド部材が上記取付枠の開口側桟に取り付けられるようにしてもよい。この構成によると、容易に侵入防止部の移動線上にガイド部材を設けることができる。
【００１５】
また、上記侵入防止部と上記ガイド部材が上記窓の開口側から見て上下方向に沿う直線上に配置されるようにしてもよい。この構成によると、侵入防止部がスムーズにガイド部材にガイドされるため、侵入防止部に横方向の力が働かず、破損しにくい。
【００１６】
また、上記侵入防止部が線状部材であってもよい。この構成によると、侵入防止部を形成する材料が少なくて済み、コストを低減できる。
【考案の効果】
【００１７】
本考案のネット侵入防止具によれば、窓を閉じる際に防虫ネットが室内側に侵入するのを防止できると共に、窓の開閉を繰り返しても疲労せず、破損しにくくできる。
【図面の簡単な説明】
【００１８】
【図１】本実施の形態に係るネット侵入防止具が設けられたビニールハウスの換気用の窓が開口している状態を示す斜視図である。
【図２】図１の換気用の窓の周辺を拡大して示す斜視図である。
【図３】図１の窓周辺部の側面図である。
【図４】本実施の形態に係る侵入防止部の全体を示す図であって、（ａ）は侵入防止部の側面図、（ｂ）は侵入防止部の斜視図、（ｃ）は侵入防止部の背面図である。
【図５】本実施の形態に係るガイド部材の全体を示す斜視図である。
【図６】本実施の形態に係るガイド部材の取り付け状態を下から見上げた図である。
【図７】本実施の形態に係るネット侵入防止部が窓枠の開口側框に取り付けられ、ガイド部材が取付枠の開口側桟に取り付けられている状態を示すビニールハウス内から見た図である。
【考案を実施するための形態】
【００１９】
以下に、図示した本実施の形態に基づいて、図面を参照しながら説明する。いくつかの図面を通して付された同じ符号は、同じ部品か対応する部品を示す。
【００２０】
本実施の形態に係る考案は、ビニールハウスなどに取り付けられる換気用の窓に用いられる。
【００２１】
図１はビニールハウス１の換気用の窓３が開口している状態を示しており、図２は図１の窓３の周辺を拡大した状態を示している。図１、図２に示すように、本実施の形態に係る窓３は、ビニールハウス１の天井に設けられる天窓であって、一端がビニールハウス１に設けられた取付枠２に揺動可能に取り付けられ、上下に開閉可能な片開き式になっている。図１に示すように、本実施の形態に係る窓３は、奥行方向に連続する連続式の天窓を備えているが、連続しない単独の窓３であってもよい。
【００２２】
なお、本実施の形態に係る窓３は、天窓として利用されているが、窓３が設けられる位置は特に限定されず、ビニールハウス１の側面に設けられた窓であってもよい。
【００２３】
本実施の形態に係る取付枠２は、ビニールハウス１の奥行方向に延びる開口側桟２ａおよび取付側桟２ｂと、開口側桟２ａおよび取付側桟２ｂの両端に架け渡される側方桟２ｃ，２ｃと、開口側桟２ａおよび取付側桟２ｂに架け渡され、ビニールハウス１の奥行方向に複数設けられる中桟２ｄを備えてなる。
【００２４】
また、本実施の形態に係る窓３は、窓枠１０と、窓枠１０に展張されるフィルム１１を備えてなる。窓枠１０は、ビニールハウス１の奥行方向に延びる取付側框３ａおよび開口側框３ｂと、取付側框３ａおよび開口側框３ｂの両端に架け渡される側方框３ｃ，３ｃと、取付側框３ａおよび開口側框３ｂに架け渡され、ビニールハウス１の奥行方向に複数設けられる中框３ｄを備えてなる。取付側框３ａは、取付枠２の取付側桟２ｂに揺動可能に連結され、開口側框３ｂは、取付枠２の開口側桟２ａから離間して窓３を開くようになっている。なお、フィルム１１の代わりに、窓枠１０に窓ガラスが嵌め込まれていてもよい。
【００２５】
また、取付枠２の開口側桟２ａおよび取付側桟２ｂと、窓枠１０の取付側框３ａおよび開口側框３ｂは、それぞれ、ビニールハウス１の奥行き方向に延びる細長い板状の底板２０（３０）と、同じくビニールハウス１の奥行き方向に延びて底板２０（３０）の両方の長手側端に連なる一対の側板２１，２１（３１，３１）とを有する。これら側板２１，２１（３１，３１）は、向かい合い、底板２０（３０）から斜めに接近しながら起立する。そして、底板２０（３０）と一対の側板２１，２１（３１，３１）との間に蟻溝２２（３２）が形成されている。また、側板２１，２１（３１，３１）は、それぞれ内側に窪んでおり、窪みの下に鍔部２３（３３）を備えている。そして、フィルム１１は、取付枠２の取付側桟２ｂと、窓枠１０の取付側框３ａ、開口側框３ｂの蟻溝２２（３２）にビニールシートを挿入し、この上から波状バネＷを嵌めることで、窓枠１０と取付枠２の取付側桟２ｂの間に隙間なくビニールシートを展張できる。
【００２６】
また、図２、図３に示すように、窓枠１０の開口側框３ｂと、開口側框３ｂに対向する取付枠２の開口側桟２ａとの間に防虫ネット４が架け渡されている。具体的には、窓枠１０の開口側框３ｂの蟻溝３２に防虫ネット４の上端が挿入され、取付枠２の開口側桟２ａの蟻溝２２に防虫ネット４の下端が挿入されて、各蟻溝２２（３２）に波状バネＷを嵌めることで、開口側框３ｂと開口側桟２ａとの間に防虫ネット４が架け渡される。また、図１に示すように、窓３の開口全体に防虫ネットが展張されており、これによって、害虫のビニールハウス１内への侵入を防止している。
【００２７】
また、図２に示すように、本実施の形態に係る窓枠１０の中框３ｄの下部には開閉桿５の上端が連結されており、開閉桿５の下端は、窓枠２の中桟２ｄを貫通して、中桟２ｄの下部に設けられた箱型の開閉装置９内で支持される。詳しく説明しないが、開閉装置９は、開閉桿５を上下駆動可能な駆動源を備えており、開閉装置９によって開閉桿５を上下に駆動することで、窓３を開閉できるようになっている。なお、窓３を開閉させる手段は特に限定されず、窓がどのような手段で開閉されたとしても本考案の実施を妨げるものではない。
【００２８】
図２、図３に示すように、窓枠１０の開口側框３ｂの防虫ネット４よりも室内側に防虫ネット４のビニールハウス１内への侵入を防止するネット侵入防止具６が取り付けられる。なお、本実施の形態に係るネット侵入防止具６が設けられる窓３は、図１に示すように奥行方向に連続して設けられる連続式の天窓であるため、ネット侵入防止具６が任意の間隔、例えば、１ｍ置きで複数設けられている。
【００２９】
本実施の形態に係るネット侵入防止具６は、図２，３に示すように、上端が窓枠１０の開口側框３ｂの防虫ネット４よりもビニールハウス１内側に取り付けられる線状の侵入防止部７と、取付枠２の開口側桟２ａに連結され、侵入防止部７をガイドするガイド部材８を備えてなる。また、図７に示すように、侵入防止部材７とガイド部材８は、窓３の開口側から見て、上下方向に沿う直線上に配置されている。
【００３０】
本実施の形態に係る侵入防止部７は、図４（ａ）〜（ｃ）に示すように、二又のフック片７ｂと、ボルト７ｃを介して回転自在に連結される湾曲片７ａとを備えてなる。湾曲片７ａは、上端に輪状の掴み部７ｅを有し、下端にカール部７ｄを備え、上端から下端にかけて弓なり状に湾曲してなる。フック片７ｂは、ハの字状に二又に延びるフックと、両フックの基端同士が連結し、フック側に折り返されてボルト７ｃが挿通される輪を形成するＵ字状の返し７ｆを備えてなる。また、Ｕ字状の返し７ｆは、ボルト７ｃの軸の直径よりも小さい隙間Ｓをフック側に形成している。そして、ボルト７ｃを湾曲片７ａの掴み部７ｅの輪に通し、掴み部７ｅを挟むようにフック片７ｂのＵ字状の返し７ｆをボルト７ｃに引っ掛け、ナットで蓋をすることで、湾曲片７ａとフック片７ｂを連結している。この際、湾曲片７ａの掴み部７ｅの輪は、ボルト７ｃの軸の径よりも大きく形成されているため、ボルト７ｃを軸にして湾曲片７ａがフック片７ｂに対して回転可能になっている（図４（ｃ）を参照）。
【００３１】
そして、Ｕ字状の返し部７ｆが有する隙間Ｓで開口側框３ｂの室内側の鍔部３３を挟み込み、二又のフック片７ｂを室外側の鍔部３３に引っ掛けることで、侵入防止部７の上端は、窓枠１０の開口側框３ｂに取り付けられる。
【００３２】
また、ガイド部材８は、図５に示すように、二又のフック部８ａ，８ａと、フック部８ａ，８ａのそれぞれの基端にフック部８ａ側に傾斜しながら延びる引っ掛け部８ｂ，８ｂと、引っ掛け部８ｂ，８ｂ同士を連結しながら反フック部８ａ側に先端が突出するＵ字状のガイド部８ｃを備えてなる。
【００３３】
そして、図６に示すように、二又のフック部８ａ，８ａを開口側桟２ａの室外側の鍔部２３に引っ掛け、引っ掛け部８ｂ，８ｂを開口側桟２ａの室内側の鍔部２３に引っ掛けることで、４点で取付枠２の開口側桟２ａを挟むようにして、ガイド部材８は、取付枠２の開口側桟２ａに取り付けられる。図６に示すように、このように取り付けられたガイド部８ｃ内に、侵入防止部７を挿通させる。これにより、侵入防止部７が、常に取付枠２の開口側桟２ａに対向するように位置決められるとともに開口側桟２ａから侵入防止部７の離間が規制される。
【００３４】
また、侵入防止部７の長さは、少なくとも、窓３の全開時にガイド部８ｃから抜けない程度の長さがあればよい。
【００３５】
なお、本実施の形態に係る侵入防止部７の下端に形成されたカール部７ｄは、ガイド部８ｃと開口側桟２ａとの間に形成された輪を通り抜けられない程度の大きさで形成されており、これによっても侵入防止部７が抜け止めされる。
【００３６】
なお、侵入防止部７およびガイド部材８の材質は特に限定されるものではないが、耐久性を考慮すると、例えば、ステンレスなどの腐食に強い金属が好ましい。
【００３７】
以下、本実施の形態に係るネット侵入防止具６の作動について説明する。開閉装置９によって、開閉桿５が上方に駆動すると、窓枠１０の開口側框３ｂが徐々に押し上げられ、窓３が開口する。この際、侵入防止部７が、ガイド部材８のガイド部８ｃにガイドされながら窓３の開口に従って持ち上げられるのと共に、防虫ネット４も持ち上げられ、取付枠２の開口側桟２ａと窓枠１０の開口側框３ｂの間に展張される。
【００３８】
反対に開閉桿５が下方に駆動すると、窓３が取付枠２側に徐々に下がっていき、窓３が閉じる。この際、防虫ネット４は徐々に撓んでいくが、侵入防止部７は、防虫ネット４よりもビニールハウス１内側に取り付けられ、常に取付枠２の開口側桟２ａに対向しながら、ビニールハウス１内に収容されるため、防虫ネット４が風などの要因によってビニールハウス１内側に入ろうとしても、侵入防止部７によって侵入が防がれる。
【００３９】
この際、侵入防止部７は、ガイド部材８によって室内へ案内されるので、窓３が閉じる際にもスムーズにビニールハウス１内に収容される。
【００４０】
以下、本実施の形態に係るネット侵入防止具６の効果について説明する。本実施の形態に係るネット侵入防止具６は、上端が窓枠３の開口側框３ｂの防虫ネット４よりもビニールハウス１内側に取り付けられて、常に取付枠２の開口側桟２ａに対向する侵入防止部７を備え、侵入防止部７は、窓３が閉じられるとビニールハウス１内に収容される。この構成によると、ネット侵入防止具６における侵入防止部７が、常に取付枠２の開口側桟２ａと窓枠３の開口側框３ｂの間に配置されているので、防虫ネット４が風などの要因によってビニールハウス１内側に入ろうとしても、防虫ネット４の侵入を防止できる。また、本考案は、従来の侵入防止装置と異なり、防虫ネット４を常に押し出す構造を採用することなく、防虫ネット４のビニールハウス１内側への侵入を防止するから、防虫ネット４側から常に押される力を受け続けることもない。したがって、本考案に係るネット侵入防止具６は、窓３の開閉を繰り返しても疲労しにくい。
【００４１】
また、本実施の形態に係る侵入防止部７は、防虫ネット４側に湾曲している。この構成によると、侵入防止部７と防虫ネット４間の隙間を少なくできるため、防虫ネット４がはためきにくくなり、よりビニールハウス１内に侵入しにくくなる。また、侵入防止部７が防虫ネット４側に湾曲していると、下端はビニールハウス１内側に向くため、ビニールハウス１内にスムーズに収容できる。
【００４２】
なお、本考案に係る侵入防止部７の形状は防虫ネット４側に湾曲するものには限定されない。例えば、防虫ネット側に一部が突出するくの字の形状などでもよいし、直線状であってもよい。
【００４３】
また、本実施の形態に係るネット侵入防止具６は、侵入防止部７を開口側框３ｂに回転自在に装着し、侵入防止部７をガイドして開口側桟２ａからの離間を防止するガイド部材８を備えている。この構成によると、侵入防止部７を回動することで、侵入防止部７を、取付枠２の開口側桟２ａに対向する位置に調整できるため、窓３の大きさにかかわらず使用できる。さらに、ガイド部材８を備えているため、侵入防止部７の振れを防止し、窓３の開閉中に侵入防止部７が回動して侵入防止部７が取付枠２の開口側桟２ｂから離間することを防止できる。また、侵入防止部７が回動自在になることで、侵入防止部７は、窓３が閉じていくにしたがって、内側に回動するため、常に開口側桟２ａの近傍に侵入防止部７を配置できるので、防虫ネット４の室内への侵入を効果的に防止できる。
【００４４】
なお、本考案に係る侵入防止部７は、回動自在でなくてもよく、固定されている場合には、侵入防止部７は回動しないため、侵入防止部７の取付枠２の開口側桟２ａからの離間を防止するガイド部材８を省略できる。
【００４５】
また、本実施の形態に係るガイド部材８は取付枠２の開口側桟２ａに取り付けられる。この構成によると、容易に侵入防止部７の移動線上にガイド部材８のガイド部８ｃを設けることができる。
【００４６】
また、本実施の形態に係るネット侵入防止具６は、侵入防止部７とガイド部材８が窓３の開口側から見て上下直線上に配置されている。この構成によると、侵入防止部７がスムーズにガイド部材８にガイドされるため、窓３の開閉時に侵入防止部７に横方向の力が働かず、破損しにくい。
【００４７】
また、本実施の形態に係る侵入防止部７が線状部材で形成されている。この構成によると、侵入防止部７を形成する材料が少なくて済み、コストを低減できる。
【００４８】
なお、本実施の形態に係る侵入防止部７は、線状部材で形成されているが、帯状になっていてもよく、横幅は特に限定されない。
【００４９】
また、本実施の形態に係るガイド部材８は、Ｕ字状のガイド部８ｃと取付枠２の開口側桟２ａとの間に設けられる輪に侵入防止部７を挿通させることで、侵入防止部７をガイドしているが、ガイド部材８は侵入防止部７が軸部材７ｃによって窓３の開閉中に振れてしまうのを防止する構成であれば足り、本実施の形態には限定されない。
【００５０】
以上、本考案の好ましい実施の形態を詳細に説明したが、実用新案登録請求の範囲から逸脱なく改造、変形及び変更ができるのは当然である。
【符号の説明】
【００５１】
１・・・ビニールハウス、２・・取付枠、２ａ・・・開口側桟、３・・・窓、３ｂ・・・開口側框、４・・・防虫ネット、６・・・ネット侵入防止具、７・・・侵入防止部、８・・・ガイド部材、１０・・・窓枠
【図１】
0003199145.tif 000003
【図２】
0003199145.tif 000004
【図３】
0003199145.tif 000005
【図４】
0003199145.tif 000006
【図５】
0003199145.tif 000007
【図６】
0003199145.tif 000008
【図７】
0003199145.tif 000009